(57)【要約】【課題】作業服に収容し易く、掴んだときに落下を防止でき、かつ、点滴をどのようにセットしたか記憶する点滴補助計を提供する。【解決手段】この点滴補助計は、輸液の種類、総量、時間及び速度等の輸液事項に関する既定事項を記憶する設定用メモリ（６４ａ）と、設定用メモリに記憶されている既定事項を表示部に表示させる設定用呼出キー（３２）と、表示された既定事項の中から、実行する輸液事項を選択する選択キー（３４）と、選択した輸液事項を記憶する実行用メモリ（６４ｂ）と、実行用メモリに記憶された輸液事項を表示部に表示する輸液事項呼出キー（３６）とを備え、実行した輸液事項を表示部で視認できる。【選択図】    図５
2004236911.tif 000002
【特許請求の範囲】
【請求項１】
実行した輸液事項を表示部で確認する点滴補助計であって、
輸液の既定事項を記憶する設定用メモリと、
前記設定用メモリに記憶されている既定事項を前記表示部に表示させる設定用呼出キーと、
表示された既定事項の中から、実行する輸液事項を選択する選択キーと、
前記輸液事項を記憶する実行用メモリと、
前記実行用メモリに記憶された前記輸液事項を前記表示部に表示する輸液事項呼出キーとを備え、
実行した輸液事項を視認できることを特徴とする点滴補助計。
【請求項２】
本体正面が略だるま形であり、
前記本体内には、請求項１に記載の設定用メモリ及び実行用メモリが設けられ、
前記本体の正面には、請求項１に記載の設定用呼出キー、選択キー及び輸液事項呼出キーと、請求項１に記載の表示部が設けられ、
輸液関係者が作業服に収容して携帯できることを特徴とする携帯用点滴補助計。
【請求項３】
本体正面が略だるま形であり、
前記本体の正面には、輸液事項を設定する操作キーと、設定された輸液事項を表示する表示部が設けられ、
前記本体の背面には、輸液関係者の作業服に取り付けるための取付手段が設けられ、
携帯時の落下を防止できることを特徴とする携帯用点滴補助計。
【発明の詳細な説明】
【０００１】
【発明の属する技術分野】
本発明は、点滴を行ったとき輸液事項を記憶し、後で輸液事項を表示できる点滴補助計及び携帯用点滴補助計に関する。
【０００２】
【従来の技術】
従来点滴をセットする際には、看護師等の輸液関係者が、点滴の滴下速度すなわち１分あたりの輸液の滴下数を計算し、時計を見ながら輸液の落下を目視して、点滴の滴下速度を調節していた。この滴下速度の計算や調節はわずらわしく、これを改良するものとして、特許第３１５６０２３号公報において、点滴の滴下速度の計算をするとともに、点滴の滴下速度をランプ等の点滅で表示する点滴速度調整確認補助装置を開示している。
【０００３】
この点滴速度調整確認補助装置１は、図６に示すように、テンキー３により入力した数値又は演算結果を表示する表示部４と、点滴の滴下速度を指示する点滅表示部５を備える。単位輸液あたりの滴数、輸液時間、輸液総量を入力すると、図示しない演算制御装置により、点滴の滴下時間間隔を演算して表示部４に表示するとともに、その滴下時間間隔で点滅表示部５が点滅し、看護師は、この点滅表示部５の点滅に合わせて、点滴の滴下速度の調節していた。
【０００４】
【発明が解決しようとする課題】
輸液関係者は、患者に輸液をした後、点滴をどのようにセットしたか上司から尋ねられたり、またカルテに記録したりする場合があり、しばらく記憶していなければならない。この輸液事項の記憶ミスや記録漏れは、その後の治療に悪影響を及ぼす。
【０００５】
前述の点滴速度調整確認補助装置１では、点滴の滴下時間間隔が演算されて表示部４に表示されるものの点滴する滴数、輸液速度、輸液時間、輸液総量は、表示部４に残らず、点滴をどのようにセットしたか、後で確認することはできなかった。
【０００６】
また、前述の点滴速度調整確認補助装置１は、四隅が角張っているため、作業服のポケットに出し入れしにくく、また矩形をしているため、手が滑って落とし易いという問題もあった。
【０００７】
本発明は、前記問題に鑑みてなされたものであり、作業服に収容し易く、掴んだときに落下を防止でき、かつ、点滴をどのようにセットしたか記憶する点滴補助計を提供することを課題とする。
【０００８】
【課題を解決するための手段】
請求項１に係る発明の点滴補助計は、前記課題の「点滴をどのようにセットしたか記憶する」ため、輸液の既定事項を記憶する設定用メモリと、前記設定用メモリに記憶されている既定事項を表示部に表示させる設定用呼出キーと、表示された既定事項の中から実行する輸液事項を選択する選択キーと、前記選択された輸液事項を記憶する実行用メモリと、前記実行用メモリに記憶された前記輸液事項を前記表示部に表示する輸液事項呼出キーとを備え、実行した輸液事項を視認できることを特徴とする。
【０００９】
（作用）この携帯用点滴補助計では、設定用呼出キーで設定用メモリに記憶されている滴数、輸液速度、輸液時間、輸液総量等の既定事項を表示部に表示させ、選択キーで実行する輸液事項を選択できる。選択した輸液事項は、実行用メモリに記憶され、後で輸液事項呼出キーによって表示部に表示させることによって、点滴をどのようにセットしたか確認することができる。
【００１０】
請求項２に係る発明の携帯用点滴補助計は、前記課題の「作業服に収容し易く、掴んだときに落下を防止でき、かつ、点滴をどのようにセットしたか記憶する」ため、本体正面が略だるま形であり、本体内には、請求項１に記載の設定用メモリ及び実行用メモリが設けられ、本体の正面には、請求項１に記載の設定用呼出キー、選択キー及び輸液事項呼出キーと、請求項１に記載の表示部が設けられ、輸液関係者が作業服に収容して携帯できることを特徴とする。
【００１１】
（作用）この携帯用点滴補助計では、本体正面がだるま形、すなわち両端が丸く中央がくびれているので、作業服のポケット出し入れし易く掴みやすい。そして、請求項１に記載の係る発明と同じく、後で輸液事項を後で表示部に表示させることによって、点滴をどのようにセットしたか確認することができる。
【００１２】
請求項３に係る発明の携帯用点滴補助計は、前記課題の「作業服のポケットに収容し易く、掴んだときに落下を防止でき、かつ、点滴をどのようにセットしたか記憶する」ため、本体正面が略だるま形であり、本体の正面には、輸液事項を設定する操作キーと、設定された輸液事項を表示する表示部が設けられ、本体の背面には、輸液関係者の作業服に取り付けるための取付手段が設けられ、携帯時の落下を防止できることを特徴とする。
【００１３】
（作用）この携帯用点滴補助計では、操作キーで設定された輸液事項は、変更したり消去しない限り表示部に表示されたままであるので、後で点滴をどのようにセットしたか確認することができる。また、この携帯用点滴補助計は、本体の裏面にクリップやストラップ等の取付手段を設けたから、作業服のポケット等に係止して落下防止を図れる。
【００１４】
【発明の実施の形態】
以下、図１−図４に基づいて、本発明の望ましい第１実施例に係る携帯用点滴補助計について詳細に説明する。図１は、この携帯用点滴補助計の正面図であり、図２は、この携帯用点滴補助計の右側面図であり、図３は、この携帯用点滴補助計の裏面図であり、図４は、この携帯用点滴補助計のブロック図である。
【００１５】
この携帯用点滴補助計１０は、四隅の角部１２が丸くされ、中央１６付近がやや細くくびれた正面視だるま形の本体１８を有する。本体１８の正面には、単位輸液（１ミリリットル）あたりの滴数、輸液総量、単位時間（１時間）あたりの輸液量である輸液速度及び輸液に要する輸液時間等、輸液事項を表示する液晶ディスプレイ等の表示部２０と、それらの輸液事項を設定するための操作キー３０とを設けている。
【００１６】
本体１８の上端の各角部１２には、携帯用点滴補助計１０の動作をスタートさせるスタートキー５０と、操作キー３０及びスタートキー５０をキーロックさせるスライド式のロックキー５２とを設けている。ロックキー５２をスライド式にしたのは、携帯用点滴補助計１０を掴んだときに、不用意にロックキー５２が操作されることを防止するためである。
【００１７】
本体１８の裏面には、電池収容部５４と、作業服のポケット等に固定するためのフック、クリップ、又はベルトを通すホルダー等の取付手段５６とが設けられる。取付手段５６の背面には鉄等の磁性体で形成された壁面等に固定するための磁石５８が埋設されている。
【００１８】
本体１８内には、図４に示したように、点滴速度を音で指示するためのブザー６０と、操作キー３０、スタートキー５０及びロックキー５２からの入力に応じて、表示部２０とブザー６０とを制御するＣＰＵ（演算制御装置）６２と、輸液事項に関する種々の既定事項を記憶する設定用メモリ６４ａと、実行した輸液事項を記憶する実行用メモリ６４ｂとを備える。設定用メモリ６４ｂには、輸液事項のうち、予め定められた既定事項が記憶されている。本実施例の場合は、単位輸液あたりの滴数が既定事項として予め定められている。
【００１９】
表示部２０には、前記滴数、輸液総量、輸液速度及び輸液時間をそれぞれ表示する部分２２、２４、２６、２８を備える。また、表示部２０の傍らには、点滴の滴下速度を示すために点滅するＬＣＤ等の点滅表示部４０と、ブザー６０が音を出す状態であることを知らせるブザーオン表示部４２と、キーロック状態であることを知らせるキーロック表示部４４と、電池残量を知らせる電池残量表示部４６とを備える。
【００２０】
前記操作キー３０としては、前記滴数、輸液総量、輸液速度及び輸液時間それぞれを設定する専用の操作キー３０を備える。これらの操作キー３０は、交互に上下方向にずらして、所望の操作キー３０を押し易くしてある。
【００２１】
前記操作キー３０を操作すると、滴数については、例えば、１ミリリットルあたり１５、１９、２０、６０と予め定められた滴数を、滴数に関する操作キー３０を押す毎に順々に切り換えられるようになっている。輸液総量については、例えば、００００から９９９９ミリリットルまで輸液総量に関する操作キー３０を押す毎に順々に切り換えられるようになっている。輸液速度については、０００から９９９ミリリットル／時まで輸液速度に関する操作キー３０を押す毎に順々に切り換えられるようになっている。輸液時間については、００時間００分から９９時間５９分まで、輸液時間に関する操作キーを押す毎に順々に切り換えられるようになっている。
【００２２】
さらに、輸液総量、輸液速度、輸液時間に関する操作キー３０については、迅速に設定値が得られるように工夫されている。最初に操作キー３０を押すと最下位の桁が点滅し、次に操作キー３０を押す度に点滅している桁の数値が１づつ増加する。そして、点滅している桁の数字が所望の数字になったときは、操作キー３０を押し続けると、１つ上の桁が点滅するようになる。ここで、操作キー３０を一度解放した後に再び操作キー３０を押すことにより、点滅している桁の数値を１つづつ増加させることができる。以下同様に、最上位の桁まで所望の数字を選択する。
【００２３】
こうして、所望の数値が表示部２０に表示された後に、別の操作キー３０又はスタートキー５０を押すと、この表示部２０に表示された数値が、設定値として確定し、実行用メモリ６４ｂに記憶される。実行用メモリ６４ｂに記憶された各設定値は、ＣＰＵ６２が点滴の滴下時間間隔の計算をする際に呼び出されて利用される。
【００２４】
もし、設定値の誤りに気付いたときは、操作キー３０を押し続けると、点滅している桁が最上位から最下位に移動するので、最初から輸液事項の設定値を再入力すればよい。ここでは、数字と桁は、昇順に変化するようにしたが、逆に降順に変化するようにしてもよい。
【００２５】
ところで、滴数及び輸液総量が設定さていると、輸液速度と輸液時間は互いに干渉し、輸液速度を設定すると輸液時間も演算制御装置６２で演算されて表示部２０に表示される。逆に、輸液時間を設定すると、輸液速度も表示部２０に表示される。
【００２６】
この携帯用点滴補助計１０の使用にあたっては、ロックキー５０によってキーロックを解除した後に、操作キー３０により、滴数と輸液総量の他に、輸液速度と輸液時間のいずれかを入力して、スタートキー５０を押せばよい。これで、ＣＰＵ６２により、点滴の滴下時間間隔が演算され、点滅表示部４０がその滴下時間間隔で点滅を開始するとともに、ブザー６０もその滴下時間間隔で断続して鳴る。輸液関係者は、点滅表示部４０の点滅及びブザー６０の音に合わせて輸液が滴下するように、点滴をセットすればよい。これで、設定された輸液速度又は輸液時間で輸液を完了させることができる。滴数、輸液総量、輸液速度と、輸液時間の各設定値は、それらを変更したり消去しない限り、表示部２０に表示されたままであるので、後で、これらの設定値を確認することができる。
【００２７】
また、スタートボタン５０を押し続けると、ブザー６０を鳴らすブザーオンか、ブザー６０を鳴らさないブザーオフの切換ができる。ブザーオンのときはブザーオン表示部４２が表示され、ブザーオフのときブザーオン表示部４２が消える。
【００２８】
本実施例によれば、この携帯用点滴補助計１０は、本体１８の角部１２が丸くなっているので、作業服のポケットに出し入れし易くかつポケットを痛めにくく、中央１６付近がくびれているので掴みやすく、手が滑って落下させることを防止できる。
【００２９】
また、ロックキー５２によりキーロックしておくと、滴数、輸液総量、輸液速度と、輸液時間の各設定値は、それらを変更するか消去しない限り、表示部２０に表示され続けるので、後で、これらの設定値を確認することができる。
【００３０】
さらに、滴数、輸液総量、輸液速度と、輸液時間の各設定値を設定するために専用の操作キー３０とを設けているので、各設定値をどのような順で入力しても、誤りなく滴下時間間隔を誤りなく演算できる。
【００３１】
さらに、互いに干渉する輸液速度と輸液時間の２つが表示部２０に同時に表示されるので、いずれかの設定値に誤った入力をした場合、誤りに気付き易い。
【００３２】
次に、図５に基づいて、第２実施例について説明する。
【００３３】
本実施例の携帯用点滴補助計１０Ａでは、前記設定用メモリ６４ａに輸液の種類、総量、時間及び速度等の輸液事項に関する既定事項を記憶させておき、前記第１実施例における操作キー３０の代わりに、前記既定事項を呼び出して表示部２０に表示させる設定用呼出キー３２と、表示された既定事項の中から、実行する輸液事項を選択するとともに、選択した輸液事項を実行用メモリ６４ｂに記憶させる選択キー３４と、実行用メモリ６４ｂに記憶された輸液事項を表示部２０に表示する輸液事項呼出キー３６とを備える。これ以外は、前記第１実施例と略同じである。
【００３４】
本実施例では、設定用呼出キー３２を押すと、輸液に関する既定事項が表示部２０に表示され、設定用呼出キー３２を押す度に、これらの既定事項が切り替わるので、所望の既定事項が表示部２０に表示されたときに選択キー３４を押すと、種類、総量、時間、速度等の輸液事項の設定値が確定され、実行用メモリ６４ｂに記憶される。輸液事項呼出キー３６を押すと、実行用メモリ６４ｂに記憶された輸液事項が表示部２０に表示され、輸液事項を確認することができる。複数回の輸液を行い、複数の輸液事項を記憶している場合には、輸液事項呼出キー３６を押す度に、実行した逆の順に輸液事項が切り換えられるので、複数の輸液を実行した場合でも、全部の輸液事項を後で確認することができる。
【００３５】
ところで、本発明は、前記実施例に限るものではなく、種々の変形が可能である。たとえば、前記実施例の携帯用点滴補助計１０では、上段に表示部２０を下段に操作キー３０を配置したが、左側に表示部２０、右側に操作キー３０を配置してもよく、表示部２０と操作キー３０の配置は任意でよい。また、時計を内蔵して、表示部２０に時刻を表示したり、輸液の実行日時を記憶したり、そして輸液の終了時刻が近づいたときにブザー６０で知らせたりしてもよい。
【００３６】
【発明の効果】
請求項１に係る発明によれば、設定用呼出キーで設定用メモリに記憶されている輸液の既定事項を表示部に表示させ、選択キーで実行する輸液事項を選択でき、選択した輸液事項は、実行用メモリに記憶され、後で輸液事項呼出キーによって表示部に表示させることができるので、輸液関係者は、後で、点滴を誤りなくセットしたかどうかを確認できるうえ、上司に報告するときやカルテに記入するとき便利である。
【００３７】
請求項２に係る発明によれば、請求項１に係る発明と同じ効果を奏するうえ、さらに、本体正面がだるま形、すなわち四隅が丸く中央がくびれているので、作業服のポケットに出し入れし易く掴みやすく、携帯に便利である。
【００３８】
請求項３に係る発明によれば、操作キーによって設定された輸液事項を表示する表示部が設けられているので、設定を変更しない限り設定された輸液事項は表示部に表示され、後で点滴セットを誤りなくセットしたかどうか確認できるうえ、上司に報告するときやカルテに記入するとき便利である。また、本体正面がだるま形であるので、作業服のポケットに出し入れし易く、しかも掴みやすく、携帯に便利である。さらに、本体の裏面に作業服に取り付けるための取付手段を設けたから、ポケット等に係止することによって、落下が防止でき安全である。
【図面の簡単な説明】
【図１】本発明の第１実施例である携帯用点滴補助計の正面図である。
【図２】前記携帯用点滴補助計の側面図である。
【図３】前記携帯用点滴補助計の裏面図である。
【図４】前記携帯用点滴補助計のブロック図である。
【図５】本発明の第２実施例である携帯用点滴補助計のブロック図である。
【図６】従来の携帯用点滴補助計の正面図である。
【符号の説明】
１０、１０Ａ  携帯用点滴補助計
１８    本体
２０    表示部
３０    操作キー
３２    設定用呼出キー
３４    選択キー
３６    輸液事項呼出キー
６４ａ  設定用メモリ
６４ｂ  実行用メモリ
５６    取付手段
【図１】
2004236911.tif 000003
【図２】
2004236911.tif 000004
【図３】
2004236911.tif 000005
【図４】
2004236911.tif 000006
【図５】
2004236911.tif 000007
【図６】
2004236911.tif 000008